(57)【特許請求の範囲】
【請求項１】
表示部に印加する電圧を制御するソースドライバ又はゲートドライバ自身から前記ドライバの種類毎に異なる判定信号を出力する判定信号出力段階と、
ドライバの種類毎に夫々異なる制御信号を生成する制御信号生成段階と、
前記判定信号に対応するドライバの種類を判別し、その種類のドライバを駆動する前記制御信号を選択する制御信号選択段階と、
前記選択した制御信号を前記ドライバに出力する制御信号出力段階と
を有するドライバ制御方法。
【請求項２】
表示部と、
前記表示部に印加する電圧を制御するソースドライバ又はゲートドライバと、
前記ドライバを制御する制御部と
を有し、
前記ドライバは、前記ドライバの種類毎に異なる判定信号を出力する判定信号出力手段を有し、
前記制御部は、
前記ドライバの種類毎に異なる制御信号を生成する制御信号生成手段と、
前記判定信号に対応するドライバの種類を判別し、その種類のドライバを駆動する前記制御信号を選択して出力する制御信号選択手段と
を有する表示装置。
【請求項３】
前記判定信号出力手段は、前記ドライバの空き配線を利用して、前記ドライバの種類毎に異なる判定信号を出力すること
を特徴とする請求項２記載の表示装置。
【請求項４】
前記判定信号出力手段は、前記ドライバの駆動電源を利用して、前記ドライバの種類毎に異なる判定信号を出力すること
を特徴とする請求項２記載の表示装置。
【請求項５】
前記判定信号出力手段は、電源投入から表示期間に移行するまでのスタンバイ状態時に、前記ドライバの通常配線を利用して、前記ドライバの種類毎に異なる判定信号を出力すること
を特徴とする請求項２記載の表示装置。
【発明の詳細な説明】
【０００１】
【発明の属する技術分野】
本発明は、ドライバ制御方法及びその方法を利用する表示装置に係り、特に、ドライバの種類に応じて異なる制御信号を出力するドライバ制御方法及びその方法を利用する表示装置に関する。
【０００２】
【従来の技術】
近年、表示装置として液晶表示装置（Ｌｉｑｕｉｄ  Ｃｒｙｓｔａｌ  Ｄｉｓｐｌａｙ）が利用されることが多くなってきている。図１は、液晶表示装置１０の一例の構成図を示す。
【０００３】
液晶表示装置１０は、透明電極である表示部１３と，表示部１３に印加する電圧を制御するドライバ１１−１〜１１−１０と，ドライバ１１−１〜１１−１０と表示部１３とを電気的に接続する配線部１２−１〜１２−１０と，ドライバ１１−１〜１１−１０を制御する制御部２０とを含む構成である。
【０００４】
ドライバ１１−１〜１１−１０は、ソースドライバ１１−１〜１１−６とゲートドライバ１１−７〜１１−１０とで構成されており、複数種類のドライバから１種類のドライバが選択され、ソースドライバ１１−１〜１１−６及びゲートドライバ１１−７〜１１−１０として採用されている。
【０００５】
なお、複数種類のドライバは、夫々異なる制御信号，タイミング，性能，機能を有する為、選択されたドライバに従った信号を制御部２０から供給される必要があった。従って、制御部２０は選択されたドライバの種類を判定する為の設定信号が供給されている。
【０００６】
図２は、制御部２０に供給される設定信号について説明する一例の図を示す。なお、図２は図１の液晶表示装置１０の一部を抜き出して表示したものである。
【０００７】
ユーザは、選択したドライバＡ１１に応じた設定を制御選択設定部３１に行い、選択したドライバＡ１１に応じた判定信号を生成する。なお、制御選択設定部３１の設定は、例えば設定ピン等を付け替えることで行なう。
【０００８】
判定回路３０は、制御選択設定部３１から判定信号が供給され、制御部２０に含まれるコントロールＩＣ２１に、ドライバＡ１１に応じた設定信号Ａを供給する。すると、コントロールＩＣ２１はドライバＡ１１に応じた制御信号ＡをドライバＡ１１に出力していた。
【０００９】
【発明が解決しようとする課題】
しかしながら、選択したドライバＡ１１に応じた設定を制御選択設定部３１に行なうと、コントロールＩＣ２１は設定後、他の種類のドライバに対応することができない。
【００１０】
この為、数種類のドライバを採用する場合は、夫々のドライバに対応するように設定されたコントロールＩＣ２１，或いは夫々のドライバに対応するように設定されたコントロールプリント基板を組み合わせる必要があり、回路が複雑となるという問題があった。
【００１１】
また、設定後のコントロールＩＣ２１は、その設定に対応するドライバＡ１１しか対応させることができない為、設定後のコントロールＩＣ２１或いはコントロールプリント基板を他のドライバに転用することが困難であり、生産管理が複雑となるという問題があった。
【００１２】
本発明は、上記の点に鑑みなされたもので、ドライバの種類を自動的に判別することができ、そのドライバの種類に応じた制御信号を出力することができるドライバ制御方法及びその方法を利用する表示装置を提供することを目的とする。
【００１３】
【課題を解決するための手段】
そこで、上記課題を解決するため、請求項１記載のドライバ制御方法は、表示部に印加する電圧を制御するソースドライバ又はゲートドライバ自身から前記ドライバの種類毎に異なる判定信号を出力する判定信号出力段階と、ドライバの種類毎に夫々異なる制御信号を生成する制御信号生成段階と、前記判定信号に対応するドライバの種類を判別し、その種類のドライバを駆動する前記制御信号を選択する制御信号選択段階と、前記選択した制御信号を前記ドライバに出力する制御信号出力段階とを有することを特徴とする。
【００１４】
このように、ドライバ自身からドライバの種類毎に異なる判定信号を出力し、その判定信号に従って複数の制御信号からその種類のドライバを駆動する制御信号を選択することにより、ドライバの種類を自動的に判別し、そのドライバの種類に応じた制御信号を自動的に選択して出力することが可能となる。
【００１５】
その結果、複数種類のドライバから１つのドライバを選択して表示装置に利用したとしても、そのドライバから自動的に出力される判定信号に従って、そのドライバを駆動する制御信号を自動的に選択することが可能となる。
【００１６】
また、請求項２記載の表示装置は、表示部と、前記表示部に印加する電圧を制御するソースドライバ又はゲートドライバと、前記ドライバを制御する制御部とを有し、前記ドライバは、前記ドライバの種類毎に異なる判定信号を出力する判定信号出力手段を有し、前記制御部は、前記ドライバの種類毎に異なる制御信号を生成する制御信号生成手段と、前記判定信号に対応するドライバの種類を判別し、その種類のドライバを駆動する前記制御信号を選択して出力する制御信号選択手段とを有することを特徴とする。
【００１７】
このように、判定信号出力手段からドライバ毎に異なる判定信号を出力し、その判定信号に従って複数の制御信号からその種類のドライバを駆動する制御信号を選択することにより、ドライバの種類を自動的に判別し、そのドライバの種類に応じた制御信号を自動的に選択して出力できる表示装置を実現することが可能となる。
【００１８】
また、請求項３記載の表示装置は、前記判定信号出力手段は、前記ドライバの空き配線を利用して、前記ドライバの種類毎に異なる判定信号を出力することを特徴とする。
【００１９】
このように、ドライバの空き配線を利用して、例えば各空き配線の接続パターンを異ならせることにより、ドライバの種類毎に異なる判定信号を出力することが可能となる。
【００２０】
また、請求項４記載の表示装置は、前記判定信号出力手段は、前記ドライバの駆動電源を利用して、前記ドライバの種類毎に異なる判定信号を出力することを特徴とする。
【００２１】
このように、ドライバの駆動電源を利用して、出力レベルを異ならせることにより、ドライバの種類毎に異なる判定信号を出力することが可能となる。
【００２２】
また、請求項５記載の表示装置は、前記判定信号出力手段は、電源投入から表示期間に移行するまでのスタンバイ状態時に、前記ドライバの通常配線を利用して、前記ドライバの種類毎に異なる判定信号を出力することを特徴とする。
【００２３】
このように、ドライバから表示の為の制御信号が出力されていない期間を利用することにより、空き配線を利用することなくドライバの種類毎に異なる判定信号を出力することが可能となる。
【００２４】
【発明の実施の形態】
次に、本発明の実施の形態について図面に基づいて説明する。図３は、本発明のドライバ制御方法について説明する一例の図を示す。
【００２５】
本発明のドライバ制御方法は、ドライバＡ１１側にドライバの種類毎に異なる判定信号を出力する機能を設けることを特徴とする。判定回路３０はドライバＡ１１から判定信号が供給され、この判定信号に従ってドライバＡ１１に応じた設定信号ＡをコントロールＩＣ２１に出力している。
【００２６】
そして、コントロールＩＣ２１はドライバＡ１１に応じた制御信号ＡをドライバＡ１１に出力する。このように、ドライバの種類毎に異なる判定信号をドライバ側から出力するようにしたことで、コントロールＩＣ２１はドライバの種類を自動判別することが可能であり、その判別結果に応じた制御信号Ａを出力することができる。
【００２７】
従って、コントロールＩＣ，コントロールプリント基板等、周囲環境でのドライバ選択設定が無くなり、ユーザはドライバの種類を考慮することなく、同一条件の設定でドライバを接続すればよい。すると、コントロールＩＣ２１は、ドライバ自身から出力される判定信号に従って接続されているドライバを自動判別し、そのドライバに応じた制御信号を出力できる。
【００２８】
次に、ドライバ自身から出力される判定信号の生成方法について図４〜図７を参照しつつ順次説明していく。図４は、本発明のドライバ制御方法を実現するドライバの第１実施例の構成図を示す。なお、図４では、３種類のドライバを判別する例について説明する。
【００２９】
図４（Ｘ）のドライバ１１は、一方に通常の信号配線が接続され、他方にドライバ１１と表示部とを電気的に接続する配線が接続されている。図４（Ｘ）のドライバ１１にダミー（Ｄｕｍｍｙ）配線▲１▼〜▲４▼を通常の信号配線側に配線した場合、図４（Ａ）〜図４（Ｃ）に示すように構成することができる。
【００３０】
図４（Ａ）は、ダミー配線▲３▼と▲４▼とを接続したものである。図４（Ｂ）は、いずれのダミー配線も接続せずにオープン状態としたものである。また、図４（Ｃ）は、ダミー配線▲１▼と▲２▼とを接続したものである。
【００３１】
ここで、任意の信号をダミー配線の▲１▼と▲３▼とに入力し、ダミー配線▲２▼と▲４▼とを判定信号として出力すれば、図４（Ａ）〜図４（Ｃ）は、夫々異なる判定信号を出力することになる。
【００３２】
具体的には、図４（Ａ）は、ダミー配線▲２▼が判定信号を出力せず、ダミー配線▲４▼が判定信号を出力する。図４（Ｂ）は、ダミー配線▲２▼，▲４▼ともに判定信号を出力しない。また、図４（Ｃ）は、ダミー配線▲２▼が判定信号を出力し、ダミー配線▲４▼が判定信号を出力しない。
【００３３】
以上のように、ドライバ１１に複数のダミー配線を設け、このダミー配線の接続をドライバの種類毎に異ならせることで、ドライバの種類毎に異なる判定信号を出力することが可能となる。
【００３４】
なお、図４の例では、ＴＡＢ（Ｔａｐｅ  Ａｕｔｏｍａｔｅｄ  Ｂｏｎｄｉｎｇ）による配線としているが、ドライバ内部の配線でも同様な効果がある。また、ダミー配線を追加すること無く、通常信号配線を利用して電源ＯＮの瞬間，若しくは表示の切り替わりタイミング等の表示駆動を行なう隙間のタイミングで判定を行なうことも同様に効果がある。
【００３５】
図５は、本発明のドライバ制御方法を実現するドライバの第２実施例の構成図を示す。なお、図５では、３種類のドライバを判別する例について説明する。
【００３６】
図５（Ｘ）のドライバ１１は、一方に通常の信号配線が接続され、他方にドライバ１１と表示部とを電気的に接続する配線が接続されている。図５（Ｘ）のドライバ１１にダミー（Ｄｕｍｍｙ）配線▲１▼，▲２▼を通常の信号配線側に配線した場合、図５（Ａ）〜図５（Ｃ）に示すように構成することができる。
【００３７】
図５（Ａ）は、ダミー配線▲１▼をオープン状態とし、ダミー配線▲２▼をドライバ１１の電源と接続したものである。図５（Ｂ）は、いずれのダミー配線も接続せずにオープン状態としたものである。また、図５（Ｃ）は、ダミー配線▲１▼をドライバ１１の電源と接続し、ダミー配線▲２▼をオープン状態としたものである。ここで、ダミー配線▲１▼と▲２▼とを判定信号として出力すれば、図５（Ａ）〜図５（Ｃ）は、夫々異なる判定信号を出力することになる。例えば、図５（Ａ）は、ダミー配線▲２▼から電源レベルの判定信号を出力する。
【００３８】
以上のように、ドライバ１１に複数のダミー配線を設け、このダミー配線の接続をドライバの種類毎に異ならせるようにドライバの電源に接続することで、ドライバの種類毎に異なる判定信号を出力することが可能となる。
【００３９】
図６は、本発明のドライバ制御方法を実現するドライバの第３実施例の構成図を示す。図６のドライバ１１は、一方に通常の信号配線が接続され、他方にドライバ１１と表示部とを電気的に接続する配線が接続されている。図６のドライバ１１は、通常の信号配線から任意の信号配線▲１▼，▲２▼を選択し、電源ＯＮ直後から正常期間までの電源ＯＮ期間中に判定信号を出力する。
【００４０】
図７に示すように、電源ＯＮ直後から正常期間までの間は、通常スタンバイ状態であり、まだ表示制御の為の信号を出力していない。そこで、電源ＯＮ期間を利用して信号配線▲１▼又は▲２▼から判定信号を出力することにより、ドライバの種類毎に異なる判定信号を出力することが可能となる。
【００４１】
次に、コントロールＩＣの構成について更に詳細に説明していく。なお、図８，９では、判定回路３０がコントルールＩＣ５０に含まれる例について説明しているがこれに限らない。
【００４２】
図８，９は、本発明のコントロールＩＣ５０の一例の構成図を示す。図８のドライバＡ１１は、図４（Ａ）のドライバ１１と同様にダミー配線▲１▼〜▲４▼を通常の信号線側に配線し、ダミー配線▲３▼と▲４▼とを接続したものである。また、ダミー配線▲４▼には電源ＶＣＣが接続されている。
【００４３】
コントロールＩＣ５０は、フリップフロップ回路５２，セレクタ回路５４を含む構成であり、ダミー配線▲３▼がフリップフロップ回路５２のデータ端子に接続されている。更に、ダミー配線▲３▼は、抵抗５６を介してグランドＧＮＤに接続されている。
【００４４】
図８のフリップフロップ回路５２では、データ端子にハイレベルの判定信号が供給され、クロック（ＣＬＫ）端子に供給されるスタート（ＳＴＡＲＴ）信号のタイミングで判定信号を確定する。そして、フリップフロップ回路５２は、確定した判定信号に基づく設定信号をセレクタ回路５４のセレクト（ＳＥＬＥＣＴ）端子に供給する。
【００４５】
セレクタ回路５４は、セレクト端子に供給される設定信号に従って、後述するドライバ制御信号作成部から供給されるドライバＡ制御信号及びドライバＢ制御信号からどちらか一方の制御信号を選択し、ドライバ１１に出力することができる。
【００４６】
具体的には、セレクタ回路５４は、セレクト端子にハイレベルの設定信号が供給され、ドライバＡ制御信号を選択してドライバＡ１１に出力することができる。
【００４７】
図９のドライバＢ１１は、図４（Ｂ）のドライバ１１と同様にダミー配線▲１▼〜▲４▼を通常の信号線側に配線し、ダミー配線▲３▼と▲４▼とを接続せずにオープン状態としたものである。また、ダミー配線▲４▼には電源ＶＣＣが接続されている。
【００４８】
コントロールＩＣ５０は、フリップフロップ回路５２，セレクタ回路５４を含む構成であり、ダミー配線▲３▼がフリップフロップ回路５２のデータ端子に接続されている。更に、ダミー配線▲３▼は、抵抗５６を介してグランドＧＮＤに接続されている。
【００４９】
図９のフリップフロップ回路５２では、データ端子にローレベルの判定信号が供給され、クロック（ＣＬＫ）端子に供給されるスタート（ＳＴＡＲＴ）信号のタイミングで判定信号を確定する。そして、フリップフロップ回路５２は、確定した判定信号に基づく設定信号をセレクタ回路５４のセレクト（ＳＥＬＥＣＴ）端子に供給する。
【００５０】
セレクタ回路５４は、セレクト端子に供給される設定信号に従って、後述するドライバ制御信号作成部から供給されるドライバＡ制御信号及びドライバＢ制御信号からどちらか一方の制御信号を選択し、ドライバ１１に出力することができる。
【００５１】
具体的には、セレクタ回路５４は、セレクト端子にローレベルの設定信号が供給され、ドライバＢ制御信号を選択してドライバＢ１１に出力することができる。
【００５２】
従って、ドライバ１１の種類毎に異なる判定信号を出力することができ、その判定信号に従ってドライバ制御信号作成部で作成される複数のドライバ制御信号のうち１つのドライバ制御信号を出力することが可能となる。
【００５３】
次に、本発明の表示装置の構成について更に詳細に説明していく。なお、本発明の表示装置１０についての説明に不要な部分は、記載を省略している。
【００５４】
図１０は、本発明の表示装置１０の一実施例の構成図を示す。図１０の表示装置は、透明電極である表示部１３と，表示部１３に印加する電圧を制御するドライバを含むソースドライバ部６８及びゲートドライバ部７０と、ドライバを制御する制御部２０とを含む構成である。
【００５５】
また、制御部２０は、電源作成部６０，階調電源作成部６２，ドライバ制御信号作成部６４，駆動タイミングコントロール部６６を含むように構成される。
【００５６】
電源作成部６０は、表示装置１０の動作に必要な電源を作成する。階調電源作成部６２は、表示データに従ったデータ電圧を作成する。なお、階調電源作成部６２で作成されたデータ電圧はソースドライバ部６８に供給されるが図示を省略している。
【００５７】
まず、駆動タイミングコントロール部６６は、ソースドライバ部６８及びゲートドライバ部７０から判定信号８４，８６が供給される。駆動タイミングコントロール部６６は、判定信号８４，８６に従ってドライバ制御信号作成部６４から出力される複数の制御信号のうち一つの制御信号を選択してソースドライバ部６８及びゲートドライバ部７０に出力している。
【００５８】
従って、ドライバの種類毎に異なる判定信号を出力することができ、その判定信号に従ってドライバ制御信号作成部６４で作成される複数のドライバ制御信号のうち１つのドライバ制御信号を選択して出力することが可能となる。
【００５９】
【発明の効果】
上述の如く、本発明によれば、ドライバ自身からドライバの種類毎に異なる判定信号を出力し、その判定信号に従って複数の制御信号からその種類のドライバを駆動する制御信号を選択することにより、ドライバの種類を自動的に判別し、そのドライバの種類に応じた制御信号を自動的に選択して出力することが可能となる。
【００６０】
その結果、複数種類のドライバから１つのドライバを選択して表示装置に利用したとしても、そのドライバから自動的に出力される判定信号に従って、そのドライバを駆動する制御信号を自動的に選択することが可能となる。
【図面の簡単な説明】
【図１】液晶表示装置の一例の構成図である。
【図２】制御部に供給される設定信号について説明する一例の図である。
【図３】本発明のドライバ制御方法について説明する一例の図である。
【図４】本発明のドライバ制御方法を実現するドライバの第１実施例の構成図である。
【図５】本発明のドライバ制御方法を実現するドライバの第２実施例の構成図である。
【図６】本発明のドライバ制御方法を実現するドライバの第３実施例の構成図である。
【図７】第３実施例で利用する信号の一例のタイミング図である。
【図８】本発明のコントロールＩＣの一例の構成図である。
【図９】本発明のコントロールＩＣの一例の構成図である。
【図１０】本発明の表示装置の一実施例の構成図である。
【符号の説明】
１０  液晶表示装置
１１  ドライバ
１２  配線部
１３  表示部
２０  制御部
２１，５０  コントロールＩＣ
３０  判定回路
３１  制御選択判定部
５２  フリップフロップ回路
５４  セレクタ回路
５６  抵抗
６０  電源作成部
６２  階調電源作成部
６４  ドライバ制御信号作成部
６６  駆動タイミングコントロール部
６８  ソースドライバ部
７０  ゲートドライバ部
８０，８２  制御信号
８４，８６  判定信号
【図１】
0004596590.tif 000002
【図２】
0004596590.tif 000003
【図３】
0004596590.tif 000004
【図４】
0004596590.tif 000005
【図５】
0004596590.tif 000006
【図６】
0004596590.tif 000007
【図７】
0004596590.tif 000008
【図８】
0004596590.tif 000009
【図９】
0004596590.tif 000010
【図１０】
0004596590.tif 000011